(57)【特許請求の範囲】
【請求項１】
回転体と、前記回転体の回転により生じる遠心力が前進方向にかかる配置で該回転体に進退可能に取り付けられ、電子部品を支持する支持部材とを有して、前記電子部品を搬送する回転式部品搬送装置において、
前記回転体の停止中、前記支持部材を前進させる力及び該支持部材を後退させる力の少なくとも一方を発生して該支持部材を移動させる駆動源と、
前記回転体の回転により遠心力が生じている前記支持部材の前進を妨げて、該支持部材を固定し、前記駆動源による前記支持部材の移動時には該支持部材の固定が解除される停止手段と、
前記駆動源により前記支持部材が移動する方向とは反対の方向に該支持部材を移動させる弾性力を発生する弾性部材とを備えることを特徴とする回転式部品搬送装置。
【請求項２】
請求項１記載の回転式部品搬送装置において、前記停止手段は、磁力によって前記支持部材の前進を妨げる永久磁石であることを特徴とする回転式部品搬送装置。
【請求項３】
請求項１記載の回転式部品搬送装置において、前記停止手段は、磁力の発生によって前記支持部材の前進を妨げる電磁石であることを特徴とする回転式部品搬送装置。
【請求項４】
請求項１〜３のいずれか１項に記載の回転式部品搬送装置において、前記支持部材と共に進退可能に前記回転体に取り付けられ、該支持部材の軸心周りに該支持部材を回転させる力を発生するモータを更に備えることを特徴とする回転式部品搬送装置。
【発明の詳細な説明】
【技術分野】
【０００１】
本発明は、電子部品を搬送する回転式部品搬送装置に関する。
【背景技術】
【０００２】
従来、ウエハから電子部品を取得して搬送する設備では、電子部品を吸着する吸着部材が進退して、ウエハから電子部品を取得する装置や（特許文献１参照）、吸着部材が取り付けられた回転体を回転させて吸着部材に吸着されている電子部品を搬送する装置（特許文献２参照）や、回転体に吸着部材が進退自在に取り付けられている装置が利用されている。
【０００３】
回転体に吸着部材が進退自在に取り付けられている装置は、回転体の回転時に生じる遠心力によって前進（回転体の外周側に移動）しようとする吸着部材をコイルスプリング等の弾性部材で支持して、吸着部材の所定以上の前進を防ぐ。ウエハに貼付されている電子部品を吸着部材で吸着する際には、モータ等の駆動手段の作動によって弾性部材の弾性力に抗した力を発生させて吸着部材を前進させる。
【０００４】
吸着部材が電子部品に接触した際に電子部品に与えられる負荷は、駆動手段が発生させた力と弾性部材の弾性力との差分となる。従来、吸着部材には他の部材等が取り付けられておらず、しかも、吸着部材は軽量であることから、弾性係数が小さな弾性部材を採用していた。そのため、吸着部材の電子部品への接触時に電子部品にかかる負荷を所定値以下とする調整を安定的に行うことができていた。電子部品は大きな負荷がかかると損傷等が生じるので、電子部品にかかる負荷を所定値以下とすることは重要である。
【先行技術文献】
【特許文献】
【０００５】
【特許文献１】特開平１１−１８６２９８号公報
【特許文献２】特開２００６−１０８１９３号公報
【発明の概要】
【発明が解決しようとする課題】
【０００６】
しかしながら、吸着部材に、モータ等を装着しようとすると、従来の弾性部材より弾性係数が大きい弾性部材を採用する必要があり、従来の駆動手段より大きい力を発生させる駆動手段によって弾性部材の弾性力に抗して吸着部材を前進させることとなる。この場合、電子部品に与えられる負荷を所定値以下とする制御を安定的に行うことができないという課題が生じる。
本発明は、かかる事情に鑑みてなされたもので、吸着部材等の支持部材から電子部品に与えられる負荷を安定的に所定値以下とする制御が可能な回転式部品搬送装置を提供することを目的とする。
【課題を解決するための手段】
【０００７】
前記目的に沿う本発明に係る回転式部品搬送装置は、回転体と、前記回転体の回転により生じる遠心力が前進方向にかかる配置で該回転体に進退可能に取り付けられ、電子部品を支持する支持部材とを有して、前記電子部品を搬送する回転式部品搬送装置において、前記回転体の停止中、前記支持部材を前進させる力及び該支持部材を後退させる力の少なくとも一方を発生して該支持部材を移動させる駆動源と、前記回転体の回転により遠心力が生じている前記支持部材の前進を妨げて、該支持部材を固定し、前記駆動源による前記支持部材の移動時には該支持部材の固定が解除される停止手段と、前記駆動源により前記支持部材が移動する方向とは反対の方向に該支持部材を移動させる弾性力を発生する弾性部材とを備える。
【発明の効果】
【０００８】
本発明に係る回転式部品搬送装置は、回転体の停止中、支持部材を前進させる力及び支持部材を後退させる力の少なくとも一方を発生して支持部材を移動させる駆動源と、回転体の回転により遠心力が生じている支持部材の前進を妨げて、支持部材を固定し、駆動源による支持部材の移動時には支持部材の固定が解除される停止手段とを備えるので、回転体の回転時に支持部材の所定以上の前進を、従来の弾性部材より弾性係数が大きい弾性部材を用いて防ぐ必要がなく、前進した支持部材から電子部品に与えられる負荷を安定的に所定値以下とする制御が可能である。
【図面の簡単な説明】
【０００９】
【図１】本発明の一実施の形態に係る回転式部品搬送装置の説明図である。
【図２】吸着部材及びそれを進退させる仕組みを示す説明図である。
【図３】（Ａ）、（Ｂ）は、吸着部材が前進する様子を説明する説明図である。
【図４】（Ａ）、（Ｂ）は、吸着部材が後退する様子を説明する説明図である。
【発明を実施するための形態】
【００１０】
続いて、添付した図面を参照しつつ、本発明を具体化した実施の形態につき説明し、本発明の理解に供する。
図１、図２に示すように、本発明の一実施の形態に係る回転式部品搬送装置１０は、回転体１１と、回転体１１の回転により生じる遠心力が前進方向にかかる配置で回転体１１に進退可能に取り付けられ、電子部品Ｗを支持する支持部材の一例である吸着部材１２とを有して、電子部品Ｗを搬送する装置である。以下、詳細に説明する。
【００１１】
回転体１１は、図１、図２に示すように、円盤状であり、水平配置され、回転体１１に連結された図示しないモータの間欠的な作動によって鉛直に配された回転軸１１ａを基準にして、所定角度の回転及び停止を繰り返す。回転体１１の上面には、図２に示すように、それぞれ回転体１１の半径方向に沿って配された複数の棒状のガイド１３が固定され、各ガイド１３には、２つのスライドブロック１４を介して水平配置された板状のベース台１５が進退自在に取り付けられている。
【００１２】
各ベース台１５の上面には、出力軸に吸着部材１２が連結されたモータ１６が固定されている。従って、各吸着部材１２は、モータ１６、ベース台１５及びスライドブロック１４と共に回転体１１の半径方向外側及び内側に進退可能となっている（即ち、モータ１６は、吸着部材１２と共に進退可能に回転体１１に取り付けられている）。本実施の形態では、吸着部材１２の前進方向及び後退方向が、回転体１１の半径方向外側及び回転体１１の半径方向内側にそれぞれ対応する。
モータ１６の出力軸は、回転体１１の半径方向に配され、吸着部材１２の中心に連結されている。モータ１６は、出力軸の回転によって、吸着部材１２の軸心周りに（中心を基準に）吸着部材１２を回転させる力を発生する。なお、図１において、ガイド１３やベース台１５等の記載は省略されている。
【００１３】
１つの吸着部材１２、１つのガイド１３、２つのスライドブロック１４、１つのベース台１５及び１つのモータ１６を有するユニットを、部品支持ユニット１７として、本実施の形態では、回転体１１の外周に沿って８つの部品支持ユニット１７（吸着部材１２）が等ピッチで設けられている。
回転体１１は、一度の回転動作によって、部品支持ユニット１７（吸着部材１２）の配置ピッチに相当する４５°の回転（回転軸１１ａを中心とした時計回りの回転）を行う。従って、回転式部品搬送装置１０には、部品支持ユニット１７（吸着部材１２）の停止位置が８つ設けられている。
【００１４】
各部品支持ユニット１７において、吸着部材１２は、モータ１６に対し回転体１１の半径方向外側に位置し、平面視して、回転体１１の外側に突出している。図示しない真空ポンプが連通された吸着部材１２は、真空圧によって電子部品Ｗを吸着し、吸着している電子部品Ｗを大気開放もしくは真空破壊によって解放する。
【００１５】
吸着部材１２に吸着される電子部品Ｗは、例えば、ダイオード、トランジスタ、コンデンサ、インダクタ、ＩＣ（Ｉｎｔｅｇｒａｔｅｄ  Ｃｉｒｃｕｉｔ）であり、図１、図２に示すように、ウエハリングＲによって鉛直に配されて固定されたウエハシートＳに貼付されている。なお、図１、図２は、ウエハシートＳに２個の電子部品Ｗが貼付されているように記載しているが、実際には多数（例えば、数百個）の電子部品Ｗが貼付されている。
【００１６】
また、図１に示すように、回転体１１を基準にして、ウエハシートＳの反対側には、電子部品Ｗが貼付されるウエハシートＳ’が設けられている。ウエハシートＳ’はウエハシートＳに平行して配された状態でウエハリングＲ’に固定されている。
回転体１１が停止している状態で、一の部品支持ユニット１７の吸着部材１２がウエハシートＳに対向して配され、回転体１１の中心を基準にして、その部品支持ユニット１７の反対側に配された部品支持ユニット１７の吸着部材１２がウエハシートＳ’に対向して配される。
【００１７】
ベース台１５には、図２に示すように、回転体１１の半径方向内側に、強磁性体である立設片１８が固定され、回転体１１には、立設片１８を貫通したロッド１９を水平に支持した支持材２０が固定されている。支持材２０は、立設片１８に対し回転体１１の半径方向内側に配置され、支持材２０と立設片１８の間には、支持材２０に固定された停止手段の一例である永久磁石２１が配されている。
【００１８】
ロッド１９は、回転体１１の半径方向外側の端部が、永久磁石２１の回転体１１の半径方向外側の端部より、回転体１１の半径方向外側に位置し、ロッド１９には、両端が支持材２０及び立設片１８にそれぞれ固定されているコイルスプリング２２（弾性部材の一例）が装着されている。
平面視して、ベース台１５の回転体１１の半径方向外側端部には、回転体１１の外側で鉛直に配された垂下体２４の上端が連結されている。立設片１８及び垂下体２４はそれぞれ、部品支持ユニット１７を構成する部材である。
【００１９】
回転体１１が回転中、永久磁石２１は、図２に示すように、部品支持ユニット１７に生じる遠心力に抗して、磁力により立設片１８を永久磁石２１に密着した状態、即ち、部品支持ユニット１７を固定した状態を維持する。本実施の形態では、立設片１８が永久磁石２１に密着している際の吸着部材１２の位置が後退位置である。従って、永久磁石２１は、磁力によって回転体１１の回転により遠心力が生じている吸着部材１２の前進を妨げ、吸着部材１２を後退位置で固定することとなる。
【００２０】
また、回転体１１の下方には、ウエハシートＳに対向する位置及びウエハシートＳ’に対向する位置に、ボイスコイルモータ２５（駆動源の一例）及び図示しないボイスコイルモータ（駆動源の一例）がそれぞれ設けられている。ボイスコイルモータ２５は、回転体１１の半径方向に移動可能な可動軸２６を有し、吸着部材１２がウエハシートＳに対向して停止した部品支持ユニット１７に対応する垂下体２４を、可動軸２６によって、回転体１１の半径方向外側に押して、吸着部材１２（部品支持ユニット１７）をウエハシートＳに向けて前進させることができる。本実施の形態では、ウエハシートＳに貼付されている電子部品Ｗに吸着部材１２が接触する際の吸着部材１２の位置を前進位置とする。
【００２１】
ウエハシートＳ’に対向して配置されたボイスコイルモータは、ボイスコイルモータ２５と同じ構造であり、吸着部材１２がウエハシートＳ’に対向して停止した部品支持ユニット１７に対応する垂下体２４を、可動軸で、回転体１１の半径方向外側に押して、吸着部材１２（部品維持ユニット１７）をウエハシートＳ’に向けて前進させることができる。本実施の形態では、吸着部材１２に吸着されている電子部品ＷがウエハシートＳ’に貼付される際の吸着部材１２の位置が前進位置である。
【００２２】
回転式部品搬送装置１０は、ウエハシートＳに貼付された電子部品Ｗを吸着部材１２で取得して吸着し、電子部品Ｗが貼付されていないウエハシートＳ’に貼り付ける処理を行う。以下、当該処理の動作について説明する。
電子部品Ｗを吸着していない吸着部材１２が、図２に示すように、ウエハシートＳに対向した位置で一時停止した状態で、ボイスコイルモータ２５が作動し、可動軸２６が回転体１１の半径方向外側（吸着部材１２の前進方向）に移動する。
【００２３】
可動軸２６は、図３（Ａ）に示すように、垂下体２４に接触し、部品支持ユニット１７（吸着部材１２）をウエハシートＳに向けて前進させる。これによって、吸着部材１２は、図３（Ｂ）に示すように、後退位置から前進位置まで前進し、ウエハシートＳに貼付されている電子部品Ｗに接触して吸着する。
このとき、ボイスコイルモータ２５は、永久磁石２１による立設片１８を固定する力より大きい力を発生させて、部品支持ユニット１７を前進させる。
【００２４】
そのため、ボイスコイルモータ２５は、回転体１１の停止中、吸着部材１２を後退位置から前進位置まで前進させる力を発生して吸着部材１２を移動させることとなり、永久磁石２１は、ボイスコイルモータ２５の作動による吸着部材１２の前進時（即ち、吸着部材１２の移動時）に、後退位置での吸着部材１２の固定が解除される。なお、ボイスコイルモータ２５による吸着部材１２の後退位置から前進位置までの前進は、回転体１１が停止した際に必ず行われるものではなく、必要に応じて行われる。ここで、吸着部材１２が前進位置に配された状態で、立設片１８（部品支持ユニット１７）には、コイルスプリング２２から、回転体１１の半径方向内側向きの弾性力が与えられる。
【００２５】
吸着部材１２が前進位置で電子部品Ｗを吸着した後、可動軸２６は、図４（Ａ）に示すように、回転体１１の半径方向内側（吸着部材１２の後退方向）に移動し、部品支持ユニット１７（吸着部材１２）は、コイルスプリング２２から立設片１８に与えられている弾性力によって、吸着部材１２が吸着している電子部品Ｗと共に後退する。
【００２６】
ここで、コイルスプリング２２は、吸着部材１２を前進位置から後退位置まで後退させる弾性力（即ち、ボイスコイルモータ２５により吸着部材１２が移動する方向とは反対の方向に吸着部材１２を移動させる駆動力）を発生するように設計されている。そのため、可動軸２６が、図４（Ｂ）に示すように、垂下体２４に非接触となるまで回転体１１の半径方向内側に移動することによって、吸着部材１２は後退位置に配される。本実施の形態では、吸着部材１２が後退位置に配された状態で、コイルスプリング２２が自然長となる。
【００２７】
これによって、立設体１８は永久磁石２１に密着し、部品支持ユニット１７（吸着部材１２）は、吸着部材１２が後退位置に配された状態で、永久磁石２１の磁力により固定される。
そして、回転体１１が回転し、吸着部材１２は吸着している電子部品Ｗと共に移動する。吸着部材１２に吸着されている電子部品Ｗは、回転体１１が回転及び停止を複数回（本実施の形態では４回）繰り返すことで、ウエハシートＳ’に対向して配置される。本実施の形態では、吸着部材１２に吸着されている電子部品Ｗは、ウエハシートＳ’に対向して配置されるまでに、必要に応じて、モータ１６により回転されてウエハシートＳ’に対する角度が調整される。
【００２８】
吸着部材１２がウエハシートＳ’に対向して一時停止した部品支持ユニット１７は、ボイスコイルモータ２５の作動による可動軸２６の回転体１１の半径方向外側への移動によって、吸着部材１２に吸着されている電子部品Ｗと共にウエハシートＳ’に向けて前進する。これによって、吸着部材１２が後退位置から前進位置まで前進し、吸着部材１２に吸着されている電子部品ＷがウエハシートＳ’に貼り付けられる。
【００２９】
そして、吸着部材１２は電子部品Ｗの吸着状態（支持状態）を解除し、部品支持ユニット１７は、可動軸２６の回転体１１の半径方向内側への移動に伴い、コイルスプリング２５の弾性力によって後退する、これにより、立設片１８は永久磁石２１に接触し、吸着部材１２は後退位置に配されて固定される。吸着部材１２が後退位置で固定された部品支持ユニット１７は、回転体１１の回転によって移動する。
【００３０】
ここまで説明した回転式部品搬送装置１０は、回転体１１が回転中に吸着部材１２を固定する停止手段として、永久磁石２１を有していたが、停止手段は永久磁石２１に限定されない。例えば、永久磁石２１の代わりに、通電されて磁力を発生させる電磁石を採用することができる。停止手段に電磁石を採用する場合、電磁石は、回転体１１の回転により遠心力が生じている吸着部材１２の前進を磁力の発生によって妨げる。可動軸２６の前進により吸着部材１２が前進する際には、電磁力を非通電状態にして磁力を発生させないようにしてもよいし、磁力を発生させた状態を維持するようにしてもよい。
【００３１】
電磁石を採用する場合、弾性力によって吸着部材１２を前進位置から後退位置まで後退させる弾性部材は必ずしも必要ではなく、吸着部材１２が前進位置に配された状態で電磁石に発生された磁力により、立設片１８を電磁石に引き寄せて、吸着部材１２を後退位置に配するようにしてもよい。
【００３２】
また、停止手段として、永久磁石２１や電磁石の代わりに、回転体１１に昇降可能に取り付けられた昇降ピン及び昇降ピンを昇降させる駆動機構を採用することもできる。昇降ピンは、上昇してベース台１５の下部に設けた穴に上部を指し込みベース台１５等と共に吸着部材１２の前進を妨げ、下降してベース台１５の穴から上部が抜かれることで、ベース台１５等と吸着部材１２を前進できる状態にする。
【００３３】
以上、本発明の実施の形態を説明したが、本発明は、上記した形態に限定されるものでなく、要旨を逸脱しない条件の変更等は全て本発明の適用範囲である。
例えば、回転式部品搬送装置は、ウエハシートから電子部品を取得するものに限定されず、他の装置（例えば、他の回転式部品搬送装置）から電子部品を取得するものであってもよい。
そして、電子部材を支持する支持部材は真空圧によって電子部品を吸着する吸着部材に限定されない。例えば、電子部品をクランプして支持する支持部材や、クーロン力によって電子部品を吸着する支持部材を採用可能である。
また、回転体は円盤状でなくてもよいのは言うまでもない。そして、回転体の回転軸は鉛直に配されていなくてもよく、例えば、水平に配されていてもよい。
【００３４】
また、回転体が回転中、支持部材が駆動源の作動によって後退するように設計することも可能である。支持部材を後退させる例としては、電子部品を支持部材と共に後退させて、電子部品を撮像する撮像手段の焦点に合う位置に電子部品を配置することが挙げられる。この場合、駆動源は、回転体の回転中、支持部材を後退させる力を発生して支持部材を後退（移動）させるものとなり、後退した支持部材を前進させるために、前進方向（即ち、駆動源により支持部材が移動する方向とは反対の方向）に支持部材を移動させる弾性力を発生させる弾性部材を採用することができる。
【００３５】
そして、駆動源として、ボイスコイルモータの代わりに、例えば、サーボモータを採用することができる。サーボモータを駆動源として採用する場合、カム機構等を介してサーボモータの駆動力が部品支持ユニットに与えられる。
また、支持部材を回転させるモータはなくてもよい。当該モータを採用する場合、モータの出力軸を、支持部材に直接連結せず、動力伝達機構を介して支持部材に連結するようにしてもよい。
【符号の説明】
【００３６】
１０：回転式部品搬送装置、１１：回転体、１１ａ：回転軸、１２：吸着部材、１３：ガイド、１４：スライドブロック、１５：ベース台、１６：モータ、１７：部品支持ユニット、１８：立設片、１９：ロッド、２０：支持材、２１：永久磁石、２２：コイルスプリング、２４：垂下体、２５：ボイスコイルモータ、２６：可動軸、Ｒ、Ｒ’：ウエハリング、Ｓ、Ｓ’：ウエハシート、Ｗ：電子部品
【要約】
【課題】支持部材から電子部品に与えられる負荷を安定的に所定値以下とする制御が可能な回転式部品搬送装置を提供する。
【解決手段】回転体１１と、回転体１１の回転により生じる遠心力が前進方向にかかる配置で回転体１１に進退可能に取り付けられ、電子部品Ｗを支持する支持部材１２とを有して、電子部品Ｗを搬送する回転式部品搬送装置において、回転体１１の停止中、支持部材１２を前進させる力及び支持部材１２を後退させる力の少なくとも一方を発生して支持部材１２を移動させる駆動源２５と、回転体１１の回転により遠心力が生じている支持部材１２の前進を妨げ、支持部材１２を固定し、駆動源２５による支持部材１２の移動時には支持部材１２の固定が解除される停止手段２１とを備える。
【選択図】図２【図１】
0006885554.tif 000002
【図２】
0006885554.tif 000003
【図３】
0006885554.tif 000004
【図４】
0006885554.tif 000005